(57)【特許請求の範囲】
【請求項１】
映像信号を出力する情報処理装置、当該情報処理装置に電源を供給する電源装置、及びスイッチの押下に応じて当該電源装置の電源のオン又はオフを指示するスイッチ信号を出力する遠隔装置に接続される電源制御装置であって、
前記情報処理装置から電源の出力があるか否かを判別する第１判別手段と、
前記情報処理装置から電源の出力があると判別された場合に、前記電源装置の電源のオフを指示するスイッチ信号を前記遠隔装置から受信しているか否かを判別する第２判別手段と、
前記第２判別手段により当該スイッチ信号を前記遠隔装置から受信していると判別された場合に、当該スイッチ信号を破棄する破棄手段とを備え、
前記第２判別手段により前記スイッチ信号を前記遠隔装置から受信していると判別された場合に、前記電源制御装置は、前記遠隔装置に警告情報を出力させる警告信号を、前記遠隔装置に送信することを特徴とする電源制御装置。
【請求項２】
前記情報処理装置から電源の出力がないと判別された場合に、前記電源装置の電源のオンを指示するスイッチ信号を前記遠隔装置から受信しているか否かを判別する第３判別手段と、前記電源装置の電源のオンを指示するスイッチ信号を前記遠隔装置から受信していると判別された場合に、当該スイッチ信号を前記電源装置に出力する出力手段とを備えていることを特徴とする請求項１に記載の電源制御装置。
【請求項３】
ＲＧＢ信号、垂直同期信号及び水平同期信号で構成される映像信号を出力する情報処理装置、当該情報処理装置に電源を供給する電源装置、及び当該電源装置の電源のオン又はオフを指示するスイッチ信号を出力する遠隔装置に接続される電源制御装置であって、
前記情報処理装置から前記ＲＧＢ信号、前記垂直同期信号及び前記水平同期信号のうち少なくとも１つの信号の出力があるか否かを判別する第１判別手段と、
前記情報処理装置から前記ＲＧＢ信号、前記垂直同期信号及び前記水平同期信号のうち少なくとも１つの信号の出力があると判別された場合に、前記電源装置の電源のオフを指示するスイッチ信号を前記遠隔装置から受信しているか否かを判別する第２判別手段と、
前記第２判別手段により当該スイッチ信号を前記遠隔装置から受信していると判別された場合に、当該スイッチ信号を破棄する破棄手段とを備え、
前記第２判別手段により前記スイッチ信号を前記遠隔装置から受信していると判別された場合に、前記電源制御装置は、前記遠隔装置に警告情報を出力させる警告信号を、前記遠隔装置に送信することを特徴とする電源制御装置。
【請求項４】
前記情報処理装置から前記ＲＧＢ信号、前記垂直同期信号及び前記水平同期信号のいずれの出力もないと判別された場合に、前記電源装置の電源のオンを指示するスイッチ信号を前記遠隔装置から受信しているか否かを判別する第３判別手段と、前記電源装置の電源のオンを指示するスイッチ信号を前記遠隔装置から受信していると判別された場合に、当該スイッチ信号を前記電源装置に出力する出力手段とを備えていることを特徴とする請求項３に記載の電源制御装置。
【請求項５】
前記遠隔装置は、警告音を出力する第１音声出力手段又は警告情報を表示する第１表示手段を備え、前記電源制御装置は、警告音を出力する第２音声出力手段又は警告情報を表示する第２表示手段を備え、
前記スイッチ信号を前記遠隔装置から受信していると判別された場合に、前記第１音声出力手段が前記警告音を出力する又は前記第１表示手段が前記警告情報を表示することに加えて、前記第２音声出力手段が前記警告音を出力する又は前記第２表示手段が前記警告情報を表示することを特徴とする請求項１又は３に記載の電源制御装置。
【請求項６】
請求項１乃至５のいずれか１項に記載の電源制御装置と、スイッチの押下に応じて前記電源装置の電源のオン又はオフを指示するスイッチ信号を出力する遠隔装置とで構成されていることを特徴とする電源制御システム。
【発明の詳細な説明】
【技術分野】
【０００１】
本発明は、映像信号を出力する情報処理装置及び当該情報処理装置に電源を供給する電源装置に接続される電源制御装置と、電源装置の電源のオン又はオフを指示する遠隔装置及び電源制御装置を有する電源制御システムとに関する。
【背景技術】
【０００２】
従来より、遠隔地の電話端末からパソコンの電源のオン、オフ、及びリセットを制御する技術が知られている（例えば、特許文献１参照）。また、従来より、遠隔のユーザ端末からコンピュータの電源を制御する技術が知られている（例えば、特許文献２参照）。
【特許文献１】特開２００５−３１８００４号公報
【特許文献２】特開２００６−１７２１８６号公報
【発明の開示】
【発明が解決しようとする課題】
【０００３】
ところで、コンピュータの電源を遠隔操作により制御する場合、遠隔端末から誤ってコンピュータの電源をオフにする信号をコンピュータに送ると、起動中のコンピュータのデータが消去されてしまうという問題がある。
【０００４】
本発明の目的は、誤指示による電源の制御を回避することが可能な電源制御装置及び電源制御システムを提供することにある。
【課題を解決するための手段】
【０００５】
上記目的を達成するため、本発明の電源制御装置は、映像信号を出力する情報処理装置、当該情報処理装置に電源を供給する電源装置、及びスイッチの押下に応じて当該電源装置の電源のオン又はオフを指示するスイッチ信号を出力する遠隔装置に接続される電源制御装置であって、前記情報処理装置から電源の出力があるか否かを判別する第１判別手段と、前記情報処理装置から電源の出力があると判別された場合に、前記電源装置の電源のオフを指示するスイッチ信号を前記遠隔装置から受信しているか否かを判別する第２判別手段と、前記第２判別手段により当該スイッチ信号を前記遠隔装置から受信していると判別された場合に、当該スイッチ信号を破棄する破棄手段とを備え、前記第２判別手段により前記スイッチ信号を前記遠隔装置から受信していると判別された場合に、前記電源制御装置は、前記遠隔装置に警告情報を出力させる警告信号を、前記遠隔装置に送信することを特徴とする。
【０００６】
かかる構成によれば、情報処理装置の起動中に、ユーザが誤って遠隔装置のスイッチを押下した場合でも、当該スイッチ信号は破棄されるので、誤指示による電源の制御を回避することができる。また、ユーザの誤指示により情報処理装置内の編集中のデータが消去されることを防止することができる。遠隔装置のユーザに不適切なスイッチの操作がなされたことを知らせることができる。
【０００７】
好ましくは、電源制御装置は、前記情報処理装置から電源の出力がないと判別された場合に、前記電源装置の電源のオンを指示するスイッチ信号を前記遠隔装置から受信しているか否かを判別する第３判別手段と、前記電源装置の電源のオンを指示するスイッチ信号を前記遠隔装置から受信していると判別された場合に、当該スイッチ信号を前記電源装置に出力する出力手段とを備えていることを特徴とする。
【０００８】
かかる構成によれば、情報処理装置が起動していない状態で、ユーザが遠隔装置のスイッチを押下すると、電源装置の電源のオンを指示するスイッチ信号が電源装置に出力されるので、電源装置は情報処理装置に電源を供給することができる。
【０００９】
上記目的を達成するため、本発明の電源制御装置は、ＲＧＢ信号、垂直同期信号及び水平同期信号で構成される映像信号を出力する情報処理装置、当該情報処理装置に電源を供給する電源装置、及び当該電源装置の電源のオン又はオフを指示するスイッチ信号を出力する遠隔装置に接続される電源制御装置であって、前記情報処理装置から前記ＲＧＢ信号、前記垂直同期信号及び前記水平同期信号のうち少なくとも１つの信号の出力があるか否かを判別する第１判別手段と、前記情報処理装置から前記ＲＧＢ信号、前記垂直同期信号及び前記水平同期信号のうち少なくとも１つの信号の出力があると判別された場合に、前記電源装置の電源のオフを指示するスイッチ信号を前記遠隔装置から受信しているか否かを判別する第２判別手段と、前記第２判別手段により当該スイッチ信号を前記遠隔装置から受信していると判別された場合に、当該スイッチ信号を破棄する破棄手段とを備え、前記第２判別手段により前記スイッチ信号を前記遠隔装置から受信していると判別された場合に、前記電源制御装置は、前記遠隔装置に警告情報を出力させる警告信号を、前記遠隔装置に送信することを特徴とする。
【００１０】
かかる構成によれば、情報処理装置の起動中に、ユーザが誤って遠隔装置のスイッチを押下した場合でも、当該スイッチ信号は破棄されるので、誤指示による電源の制御を回避することができる。また、ユーザの誤指示により情報処理装置内の編集中のデータが消去されることを防止することができる。遠隔装置のユーザに不適切なスイッチの操作がなされたことを知らせることができる。
【００１１】
好ましくは、電源制御装置は、前記情報処理装置から前記ＲＧＢ信号、前記垂直同期信号及び前記水平同期信号のいずれの出力もないと判別された場合に、前記電源装置の電源のオンを指示するスイッチ信号を前記遠隔装置から受信しているか否かを判別する第３判別手段と、前記電源装置の電源のオンを指示するスイッチ信号を前記遠隔装置から受信していると判別された場合に、当該スイッチ信号を前記電源装置に出力する出力手段とを備えていることを特徴とする。
【００１２】
かかる構成によれば、情報処理装置が起動していない状態で、ユーザが遠隔装置のスイッチを押下すると、電源装置の電源のオンを指示するスイッチ信号が電源装置に出力されるので、電源装置は情報処理装置に電源を供給することができる。
【００１３】
好ましくは、前記遠隔装置は、警告音を出力する第１音声出力手段又は警告情報を表示する第１表示手段を備え、前記電源制御装置は、警告音を出力する第２音声出力手段又は警告情報を表示する第２表示手段を備え、前記スイッチ信号を前記遠隔装置から受信していると判別された場合に、前記第１音声出力手段が前記警告音を出力する又は前記第１表示手段が前記警告情報を表示することに加えて、前記第２音声出力手段が前記警告音を出力する又は前記第２表示手段が前記警告情報を表示することを特徴とする。
【００１４】
かかる構成によれば、遠隔装置及び電源制御装置のユーザに不適切なスイッチの操作がなされたことを知らせることができる。
【００１５】
上記目的を達成するため、本発明の電源制御システムは、請求項１乃至５のいずれか１項に記載の電源制御装置と、スイッチの押下に応じて前記電源装置の電源のオン又はオフを指示するスイッチ信号を出力する遠隔装置とで構成されていることを特徴とする。
【００１６】
かかる構成によれば、情報処理装置の起動中に、ユーザが誤って遠隔装置のスイッチを押下した場合でも、当該スイッチ信号は破棄されるので、誤指示による電源の制御を回避することができる。また、ユーザの誤指示により情報処理装置内の編集中のデータが消去されることを防止することができる。
【発明の効果】
【００１７】
本発明によれば、誤指示による電源の制御を回避することができる。
【発明を実施するための最良の形態】
【００１８】
以下、図面を参照しながら本発明の実施の形態を説明する。
【００１９】
図１は、本発明の実施の形態に係る電源制御システムの概略構成図である。
【００２０】
同図に示すように、電源制御システムは、電源制御装置１、遠隔装置２、電源装置３、コンピュータ（以下ＰＣという）４、及びネットワークケーブルとしてのＬＡＮケーブル５を備えている。
【００２１】
電源制御装置１は、電源装置３からＰＣ４に供給される電源のオン／オフを指示する信号（以下スイッチ信号という）を電源装置３に送信すると共にＰＣ４からＲＧＢ信号を受信する通信部１０１（出力手段）と、送信装置１全体を制御する制御部１０２（第１〜第３判別手段、破棄手段、出力手段）と、ＰＣ４からのＵＳＢ（ユニバーサル・シリアル・バス）の電源出力を入力するＵＳＢ端子１０３と、不図示の周辺機器と接続可能なＲＳ−２３２Ｃ端子１０４と、マウス６と接続可能なＰＳ／２端子１０５と、キーボード７と接続可能なＰＳ／２端子１０６と、モニタ８と接続可能なビデオ端子１０７と、ＬＡＮケーブル５と接続するＬＡＮ端子１０８と、スピーカ１１０とを備えている。制御部１０２は、システムバス１０９を介して通信部１０１、ＵＳＢ端子１０３、ＲＳ−２３２Ｃ端子１０４、ＰＳ／２端子１０５，１０６、ビデオ端子１０７、ＬＡＮ端子１０８及びスピーカ１１０に接続されている。電源制御装置１は、ＬＡＮ端子を複数備えていてもよい。これにより、電源制御装置１は、複数のＬＡＮ端子を介して複数の遠隔装置と接続することができる。
【００２２】
遠隔装置２は、遠隔装置２全体を制御する制御部２０１と、プリンタ９と接続するＲＳ−２３２Ｃ端子２０２と、マウス１０と接続するＰＳ／２端子２０３と、キーボード１１と接続するＰＳ／２端子２０４と、モニタ１２（表示手段）と接続するビデオ端子２０５と、スイッチ信号を出力するスイッチ２０６と、ＬＡＮケーブル５と接続するＬＡＮ端子２０７と、スピーカ２０９とを備えている。制御部２０１は、システムバス２０８を介してＲＳ−２３２Ｃ端子２０２、ＰＳ／２端子２０３，２０４、ビデオ端子２０５、スイッチ２０６及びスピーカ２０９（音声出力手段）に接続されている。遠隔装置２は、ＬＡＮ端子を複数備えていてもよい。これにより、遠隔装置２は、複数のＬＡＮ端子を介して複数の電源制御装置と接続することができる。
【００２３】
電源装置３は、遠隔装置２のスイッチ２０６から電源制御装置１を介して送信されるスイッチ信号に基づいて、ＰＣ４に１００Ｖの電源を供給する又はその供給を中止する。図２に、電源装置３の概略構成を示す。電源装置３は、制御部３１及び供給部３２を備えている。制御部３１が電源制御装置１からオンのスイッチ信号を受信すると、供給部３２は、１００Ｖの電源をＰＣ４に供給し、制御部３１が電源制御装置１からオフのスイッチ信号を受信すると、供給部３２は、１００Ｖの電源をＰＣ４に供給することを中止する。つまり、遠隔装置２のスイッチ２０６は、ＬＡＮケーブル５及び電源制御装置１を介して電源装置３からＰＣ４への電源の供給又はその供給の中止を制御することができる。
【００２４】
ＰＣ４は、電源装置３から電源の供給を受けているときに、ＲＧＢ信号（Red信号、Green信号、Blue信号を含む）、垂直同期信号（Vsync）、及び水平同期信号（Hsync）を電源制御装置１に送信する。また、ＰＣ４は、電源装置３から電源の供給を受けているときに、不図示のＵＳＢ端子を介して電源を電源制御装置１のＵＳＢ端子１０３に供給する。
【００２５】
電源制御装置１は、Ｇ信号に水平同期信号を重畳し、Ｂ信号に垂直同期信号を重畳し、２つの重畳信号及びＲ信号をＬＡＮケーブル５を介して遠隔装置２に送信する。
【００２６】
遠隔装置２は、ＬＡＮケーブル５を介して２つの重畳信号及びＲ信号を受信し、２つの重畳信号を元に戻し、垂直同期信号及び水平同期信号を使って、モニタ１２にＲＧＢ信号を出力する。
【００２７】
マウス１０からのマウス信号及びキーボード１１からのキー信号は、ＬＡＮケーブル５及び電源制御装置１を介してＰＣ４に送信される。プリンタ９から印刷する場合には、マウス１０又はキーボード１１からプリントの指示信号をＬＡＮケーブル５及び電源制御装置１を介してＰＣ４に送信し、ＰＣ４からＬＡＮケーブル５及び電源制御装置１を介してプリンタ９へプリントコマンドが送信され、プリンタ９で印刷が実行される。
【００２８】
図３は、電源制御装置１により実行される処理を示すフローチャートである。尚、本電源制御システムの動作を終了する場合は、ユーザが遠隔装置２のモニタ１２に表示されているＯＳ（オペレーティング・システム）上で、本システムの動作終了を指定する。これにより、遠隔装置２が電源制御装置１を介して電源装置３にシステムの動作終了を示す信号を出力し、電源装置３がＰＣ４への電源供給を終了し、ＰＣ４の電源がオフになり、本電源制御システムの動作が終了する。
【００２９】
まず、制御部１０２は、ＰＣ４と接続されるＵＳＢ端子１０３を介してＰＣ４からのＵＳＢ電源の出力を監視する（ステップＳ１）。
【００３０】
次いで、制御部１０２は、ＰＣ４からのＵＳＢ電源の出力があるか否かを判別する（ステップＳ２）。ここで、ＰＣ４からのＵＳＢ電源の出力がある場合は、ＰＣ４の電源がオンの状態であり、ＰＣ４からのＵＳＢ電源の出力がない場合は、ＰＣ４の電源がオフの状態である。
【００３１】
ステップＳ２でＹＥＳの場合には、制御部１０２は、遠隔装置２からスイッチ信号（ここでは、電源装置３からＰＣ４に供給される電源のオフを指示する信号）を受信しているか否かを判別する（ステップＳ３）。ステップＳ３でＮＯの場合には、ステップＳ１に戻る。
【００３２】
ステップＳ３でＹＥＳの場合には、制御部１０２は、当該スイッチ信号を破棄する（ステップＳ４）。即ち、制御部１０２は、スイッチ信号を受信しても特別な動作を実行しない。これは、起動中のＰＣ４のデータが消去されることを防止するためである。次いで、制御部１０２は、ＬＡＮケーブル５を介して警告信号を遠隔装置２に送信し（ステップＳ５）、ステップＳ１に戻る。遠隔装置２の制御部２０１は、警告信号を受信すると、モニタ１２に警告表示（例えば、「ＰＣ４は起動中です」の表示）を出力するか、又はスピーカ２０９から警告音を出力する。これにより、遠隔装置２のユーザに不適切なスイッチ２０６の操作がなされたことを知らせることができる。
【００３３】
また、上記ステップＳ５の工程で、制御部１０２は、警告信号を遠隔装置２に送信すると共に、モニタ８に警告表示を出力する又はスピーカ１１０から警告音を出力してもよい。これにより、電源制御装置１のユーザに不適切なスイッチ２０６の操作がなされたことを知らせることができる。
【００３４】
上記ステップＳ２でＮＯの場合には、制御部１０２は、遠隔装置２からスイッチ信号（ここでは、電源装置３からＰＣ４に供給される電源のオンを指示する信号）を受信しているか否かを判別する（ステップＳ６）。ステップＳ６でＮＯの場合には、ステップＳ１に戻る。ステップＳ６でＹＥＳの場合には、制御部１０２は、通信部１０１を介して当該スイッチ信号を電源装置３に出力し（ステップＳ７）、ステップＳ１に戻る。ステップＳ７において、スイッチ信号が電源装置３に出力されると、電源装置３がＰＣ４への電源供給を開始し、ＰＣ４の電源がオンになる。
【００３５】
図４は、電源制御装置１により実行される処理の変形例を示すフローチャートである。尚、図３のステップと同一のステップには、同一のステップ番号を付し、その説明を省略する。
【００３６】
まず、制御部１０２は、ＰＣ４と接続される通信部１０１を介してＰＣ４からのＲＧＢ信号、垂直同期信号及び水平同期信号のうち少なくとも１つの信号の出力を監視する（ステップＳ１ａ）。
【００３７】
次いで、制御部１０２は、ＲＧＢ信号、垂直同期信号及び水平同期信号のうち少なくとも１つの信号の出力があるか否かを判別する（ステップＳ２ａ）。ここで、少なくとも１つの信号の出力がある場合は、ＰＣ４の電源がオンの状態であり、少なくとも１つの信号の出力がない場合は、ＰＣ４の電源がオフの状態である。
【００３８】
ステップＳ２ａでＹＥＳの場合には、上述したステップＳ３の処理に進み、ステップＳ２ａでＮＯの場合には、上述したステップＳ６の処理に進む。
【００３９】
以上詳細に説明したように、本実施の形態によれば、制御部１０２が、ＰＣ４からＵＳＢ電源の出力があるか否かを判別し、ＰＣ４からＵＳＢ電源の出力があると判別された場合に、電源装置３の電源のオフを指示するスイッチ信号を遠隔装置２から受信しているか否かを判別し、当該スイッチ信号を遠隔装置２から受信していると判別された場合に、当該スイッチ信号を破棄する（ステップＳ２〜Ｓ４）。よって、ＰＣ４の起動中に、ユーザが誤って遠隔装置２のスイッチを押下した場合でも、当該スイッチ信号は破棄されるので、誤指示による電源装置３の電源の制御を回避することができる。また、ユーザの誤指示によりＰＣ４内の編集中のデータが消去されることを防止することができる。
【００４０】
また、制御部１０２が、ＰＣ４からＲＧＢ信号、垂直同期信号及び水平同期信号のうち少なくとも１つの信号の出力があるか否かを判別し、これらの信号のうち少なくとも１つの信号の出力があると判別された場合に、電源装置３の電源のオフを指示するスイッチ信号を遠隔装置２から受信しているか否かを判別し、当該スイッチ信号を遠隔装置２から受信していると判別された場合に、当該スイッチ信号を破棄する（ステップＳ２ａ〜Ｓ４）。よって、ＰＣ４の起動中に、ユーザが誤って遠隔装置２のスイッチを押下した場合でも、当該スイッチ信号は破棄されるので、誤指示による電源装置３の電源の制御を回避することができる。また、ユーザの誤指示によりＰＣ４内の編集中のデータが消去されることを防止することができる。
【００４１】
尚、本発明は、上述した実施の形態に限定されるものではなく、その要旨を逸脱しない範囲内で種々変形して実施することが可能である。
【図面の簡単な説明】
【００４２】
【図１】本発明の実施の形態に係る電源制御システムの概略構成図である。
【図２】電源装置３の概略構成を示す図である。
【図３】電源制御装置１により実行される処理を示すフローチャートである。
【図４】電源制御装置１により実行される処理の変形例を示すフローチャートである。
【符号の説明】
【００４３】
１  電源制御装置
２  遠隔装置
３  電源装置
４  コンピュータ（ＰＣ）
５  ＬＡＮケーブル
６，１０  マウス
７，１１  キーボード
８，１２  モニタ
１０１  通信部
１０２，２０１  制御部
１０３  ＵＳＢ端子
１０４，２０２  ＲＳ−２３２ｃ端子
１０５，１０６，２０３，２０４  ＰＳ／２端子
１０７，２０５  ビデオ端子
【図１】
0005235451.tif 000002
【図２】
0005235451.tif 000003
【図３】
0005235451.tif 000004
【図４】
0005235451.tif 000005